(57)【要約】【課題】システムキッチンの天板を、必要に応じて別の天板に取り換えることができるキッチンカウンターを提供すること。【解決手段】シンク２２を備えたステンレス製の下天板２と、シンクの形成領域と対応した開口部３２を有する樹脂製の上天板３とを備え、シンクが開口部から露出した状態で、下天板の上に、上天板が取換え可能に配設されているキッチンカウンター１とする。【選択図】図１
2016034302.tif 000002
【特許請求の範囲】
【請求項１】
シンクを備えたステンレス製の下天板と、前記シンクの形成領域と対応した開口部を有する樹脂製の上天板とを備え、前記シンクが前記開口部から露出した状態で、前記下天板の上に、前記上天板が取換え可能に配設されていることを特徴とするキッチンカウンター。
【請求項２】
前記上天板には、着脱自在な取り外し部が配設されており、前記取り外し部を離脱させると、前記下天板が露出することを特徴とする請求項１に記載のキッチンカウンター。
【請求項３】
シンクを備えた樹脂製の下天板と、前記シンクの形成領域と対応した開口部を有するステンレス製の上天板とを備え、前記シンクが前記開口部から露出した状態で、前記下天板の上に、前記上天板が取換え可能に配設されていることを特徴とするキッチンカウンター。
【発明の詳細な説明】
【技術分野】
【０００１】
本発明は、キッチンカウンターに関する。
【背景技術】
【０００２】
引用文献１には、シンク形成領域と対応した開口が形成されたガラス製の天板と、シンクに対応した凹部が形成された鋼板製のシャシーと、シャシーの底面に貼着される補強板とを備えるシステムキッチンの天板ユニット（キッチンカウンター）が記載されている。また、この天板ユニットの天板とシャシーとは、互いに接着剤で接着されていることが記載されている。特許文献１の天板ユニットは、ガラス製の天板に付加される押圧力や衝撃を低減することを目的としている。
【先行技術文献】
【特許文献】
【０００３】
【特許文献１】特開2009−34221号公報
【発明の概要】
【発明が解決しようとする課題】
【０００４】
システムキッチンを継続して使用していくと、キッチンカウンターの天板に経時的な傷や汚れの付着が生じる。この場合、特許文献１のような従来のキッチンカウンターを備えたシステムキッチンでは、天板のみを取り換えることは難しく、通常、システムキッチン全体を取り換える必要があるため、多額のコストがかかってしまうという問題がある。また、現状のシステムキッチンの天板のデザイン（雰囲気）を変えたいなどの要望も実際に多く存在し、この場合も同様に、システムキッチン全体を取り換える必要があり、多額のコストがかかってしまうという問題がある。
【０００５】
本発明は、以上のとおりの事情に鑑みてなされたものであり、システムキッチンの天板を、必要に応じて別の天板に取り換えることができるキッチンカウンターを提供することを課題としている。
【課題を解決するための手段】
【０００６】
上記の課題を解決するために、本発明のキッチンカウンターは、シンクを備えたステンレス製の下天板と、前記シンクの形成領域と対応した開口部を有する樹脂製の上天板とを備え、前記シンクが前記開口部から露出した状態で、前記下天板の上に、前記上天板が取換え可能に配設されていることを特徴としている。
【０００７】
また、本発明のキッチンカウンターは、シンクを備えた樹脂製の下天板と、前記シンクの形成領域と対応した開口部を有するステンレス製の上天板とを備え、前記シンクが前記開口部から露出した状態で、前記下天板の上に、前記上天板が取換え可能に配設されていることを特徴としている。
【発明の効果】
【０００８】
本発明のキッチンカウンターによれば、システムキッチン全体を取り換える必要がなく、必要に応じて別の天板に取り換えることができる。
【図面の簡単な説明】
【０００９】
【図１】本発明のキッチンカウンターの一実施形態を例示した分解斜視図である。
【図２】図１に例示したキッチンカウンターの下天板と上天板とを接合させた状態を例示した斜視図である。
【図３】（Ａ）（Ｂ）は、本発明のキッチンカウンターの別の実施形態を例示した斜視図である。
【図４】本発明のキッチンカウンターの別の実施形態を例示した分解斜視図である。
【図５】図４に例示したキッチンカウンターの下天板と上天板とを接合させた状態を例示した斜視図である。
【発明を実施するための形態】
【００１０】
図１は、本発明のキッチンカウンターの一実施形態を例示した分解斜視図である。
【００１１】
キッチンカウンター１は、下天板２と上天板３とを備えている。
【００１２】
下天板２は、ステンレス製である。ステンレスは、例えば、JIS規格を例にとると、SUS301、SUS302B、SUS303、SUS304などを例示することができ、耐食性などを考慮すると、SUS304が特に好ましい。
【００１３】
下天板２は、やや長尺な略矩形状に形成された平板部２１と、平板部２１の中央付近から略矩形状に凹むシンク２２を備えている。平板部２１の短手方向の両端には、下向きに屈曲する第１の屈曲部２１aが形成されている。また、シンク２２と近接する平板部２１の中央付近には、第１の水栓取付孔２１bが配設されている。さらに、シンク２２の底部には、排水口２２aが形成されている。
【００１４】
下天板２の平板部２１とシンク２２とは、一体成形によって形成されていてもよいし、別体として成形されていてもよい。平板部２１とシンク２２とが別体である場合には、例えば、平板部２１にシンク２２の形状と対応する開口（図示していない）を形成し、この開口にシンク２２を公知の方法によって配設することができる。
【００１５】
上天板３は、樹脂製である。具体的には、上天板３は、例えば、公知の熱硬化性樹脂を成形することで、その表面に、大理石調、御影石調、墨ぼかし調、幾何学模様調などの各種のデザインの柄部Ｄが表されたものを例示することができる。原料となる熱硬化性樹脂としては、例えば、不飽和ポリエステル樹脂、アクリル樹脂、ウレタン樹脂、フェノール樹脂、エポキシ樹脂、イソシアネート樹脂、メラミン樹脂、尿素樹脂などを１種または２種以上使用することができる。また、これらの熱硬化性樹脂に、ガラス繊維、ビニロン繊維、ナイロン繊維などの強化繊維や、着色剤などの添加物を適宜配合することができる。
【００１６】
上天板３は、下天板２の平板部２１と対応する形状に形成された平板状の表面部３１と、下天板２のシンク２２の形成領域と対応した形状の開口部３２とを備えている。開口部３２は、表面部３１の中央付近に設けられている。表面部３１の短手方向の両端部には、下向きに屈曲する第２の屈曲部３１aが形成されている。また、開口部３２と近接する表面部３１の中央付近には、第２の水栓取付孔３１bが配設されている。
【００１７】
図２は、図１に例示したキッチンカウンターの下天板と上天板とを接合させた状態を例示した斜視図である。
【００１８】
キッチンカウンター１は、下天板２の上に、上天板３が取換え可能に配設されている。キッチンカウンター１は、下天板２のシンク２２と上天板３の開口部３２との位置が一致しており、シンク２２が開口部３２から外部に露出している。
【００１９】
具体的には、キッチンカウンター１は、下天板２の平板部２１と上天板３の表面部３１の裏面側とが当接し、下天板２の第１の屈曲部２１aと上天板３の第２の屈曲部３１aとが当接している。
【００２０】
また、キッチンカウンター１は、第１の水栓取付孔２１bと第２の水栓取付孔３１bとが連通しており、この連通空間に水栓（図示していない）を配設することができる。
【００２１】
下天板２の上に上天板３を配設する方法は、上天板３が取換え可能な方法であれば特に限定されない。具体的には、例えば、樹脂製の上天板３の撓みを利用して第２の屈曲部３１aを外方に開いて、下天板２の第１の屈曲部２１aの外側から嵌合させる方法などを例示することができる。また、上天板３に取り換える場合には、例えば、樹脂製の上天板３の撓みを利用して第２の屈曲部３１aを外方に開くことで上天板３を取り外すことができる。または、例えば、下天板２に凹部（図示していない）を設け、この凹部に嵌合する凸部（図示していない）を上天板３に設けることにより、上天板３を取換え可能に配設することができる。
【００２２】
キッチンカウンター１は、シンク２２を備えたステンレス製の下天板２と、シンク２２の形成領域と対応した開口部３２を有する樹脂製の上天板３とを備え、シンク２２が開口部３２から露出した状態で、下天板２の上に上天板３が取換え可能に配設されている。このため、キッチンカウンター１を備えたシステムキッチン（図示していない）において天板を取り換えたい場合に、システムキッチン全体を取り換える必要がなく、必要に応じて別の天板（上天板３）に取り換えることができる。また、例えば、システムキッチンの雰囲気を変えたいような場合には、上天板３を取り外し、下天板２が露出した状態で使用することもできる。
【００２３】
図３（Ａ）（Ｂ）は、本発明のキッチンカウンターの別の実施形態を例示した斜視図である。図１、図２と共通する部分には同一の符号を付し、以下では説明を省略する。
【００２４】
図３（Ａ）に例示したように、この実施形態のキッチンカウンター１では、上天板３には、着脱自在な取り外し部４が配設されている。具体的には、上天板３には、略矩形状に開口形成された窓部４１が形成されており、この窓部４１の外形に対応する形状を有する取り外し部４が、窓部４１に嵌め込まれている。なお、取り外し部４は、図３に例示した形状や位置に限定されることはなく、適宜設計することができる。
【００２５】
図３（Ｂ）に例示したように、キッチンカウンター１は、上天板３の取り外し部４を窓部４１から離脱させると、窓部４１の領域に下天板２が露出する。下天板２はステンレス製であるため、清掃しやすく、耐熱性に優れている。このため、キッチンカウンター１は、取り外し部４の離脱によって露出した下天板２の領域を、調理スペースや、鍋やフライパンなどの調理機器の設置スペースなどとして利用することができ、利便性に優れている。
【００２６】
図４は、本発明のキッチンカウンターの別の実施形態を例示した分解斜視図である。図５は、図４に例示したキッチンカウンターの下天板と上天板とを接合させた状態を例示した斜視図である。図１、図２と共通する部分には同一の符号を付し、以下では説明を省略する。
【００２７】
下天板２は、樹脂製であり、柄部Ｄが形成されている。樹脂は、図１、図２に例示した形態の上天板３と同様の材料を適宜使用することができる。
【００２８】
上天板３は、ステンレス製である。ステンレスは、図１、図２に例示した形態の下天板２と同様の材料を適宜使用することができる。
【００２９】
キッチンカウンター１は、下天板２のシンク２２が上天板３の開口部３２から露出した状態で、下天板２の上に、上天板３が取換え可能に配設されている。具体的には、キッチンカウンター１は、下天板２の平板部２１と上天板３の表面部３１の裏面側とが当接し、下天板２の第１の屈曲部２１aと上天板３の第２の屈曲部３１aとが当接している。
【００３０】
キッチンカウンター１は、シンク２２を備えたステンレス製の下天板２と、シンク２２の形成領域と対応した開口部３２を有する樹脂製の上天板３とを備え、シンク２２が開口部３２から露出した状態で、下天板２の上に上天板３が取換え可能に配設されている。このため、キッチンカウンター１を備えたシステムキッチン（図示していない）において天板を取り換えたい場合に、システムキッチン全体を取り換える必要がなく、必要に応じて別の天板（上天板３）に取り換えることができる。
【００３１】
また、図示していないが、この実施形態のキッチンカウンター１においても、上天板３に着脱自在な取り外し部を配設することもできる。
【００３２】
本発明のキッチンカウンターは、以上の形態に限定されることはない。
【符号の説明】
【００３３】
１    キッチンカウンター
２    下天板
２２  シンク
３    上天板
３２  開口部
４    取り外し部
【図１】
2016034302.tif 000003
【図２】
2016034302.tif 000004
【図３】
2016034302.tif 000005
【図４】
2016034302.tif 000006
【図５】
2016034302.tif 000007